(57)【要約】【課題】  スキーやスノーボードで、風力を利用して、安定したカーブやジャンプを行えるようにする。【解決手段】  ブレード２と、ブレード２に取り付けられたグリップ部３及びアーム支持ベルト４とによりスキー及びスノーボード用制御翼１を構成する。使用者１０は、足１１にスキー板１２を付け、腕１３にスキー及びスノーボード用制御翼１を腕に付けて滑走する。スキーで滑走すると、ブレード２に風が当たり、風力による浮力や押圧力が発生する。この浮力や押圧力を利用して、カーブやジャンプを行う。使用者１０は、肘と手首との間を地面に対して平行にすれば、ブレード２も地面に対して平行になり、肘を中心にして手首を上げ下げすることでブレード２のピッチ角を調整し、手首を左右に回転させることで、ブレード２のヨー角を調整することができる。【選択図】        図２
0003113688.tif 000002
【実用新案登録請求の範囲】
【請求項１】
ブレードと、前記ブレードに設けられたグリップ部及びアーム支持ベルトとを有し、
前記アーム支持ベルトを腕に装着し、前記グリップ部を握り、前記ブレードにより生じる風力により、スキー及びスノーボードの回転やジャンプを補助する
ようにしたことを特徴とするスキー及びスノーボード用制御翼。
【請求項２】
前記アーム支持ベルトは腕に着脱可能に構成され、その長さが腕の太さに合わせて調整可能とされていることを特徴とする請求項１に記載のスキー及びスノーボード用制御翼。
【請求項３】
前記グリップ部及び前記アーム支持ベルトは、腕の肘から手首までの部分を固定できる位置に配設されることを特徴とする請求項１に記載のスキー及びスノーボード用制御翼。
【考案の詳細な説明】
【技術分野】
【０００１】
本考案は、スキーやスノーボードでカーブやジャンプを行う際の補助具として利用できるスキー及びスノーボード用制御翼に関する。
【背景技術】
【０００２】
スキーやスノーボードの魅力は、雪に囲まれた大自然の中を滑っていく爽快感にある。雪山の中を、スキーやスノーボードで滑っていけば、スピード感が肌に伝わり、爽快な気分になれる。
【０００３】
ところで、スキーやスノーボードでは、高速でも安定してカーブできる技量が求められる。このとき、風力を利用できれば、より安定したカーブが行えると考えられる。また、スキーやスノーボードでは、豪快なジャンプが醍醐味である。ジャンプを行うときにも、風力を利用できれば、より高く、より長い距離をジャンプできると考えられる。
【０００４】
スキーやスノーボードにおいて、風力を利用するものとしては、特許文献１に示されるように、セイルを設け、このセイルに風を受けることにより、スキー、インラインスケート等の走行手段に乗った操縦者が容易に操作できるようにしたものがある。
【特許文献１】特開平８−１６８５５０号公報
【考案の開示】
【考案が解決しようとする課題】
【０００５】
しかしながら、特許文献１に示されるようなこのようなセイルを使ったものは、飛行を目的とするものであり、カーブやジャンプの補助をするものではない。
【０００６】
本考案は、上述の課題を鑑み、スキーやスノーボードで、風の流れを利用して、安定したカーブやジャンプを行えると共に、ブレードのピッチ角及びヨー角を確実にコントロールできるスキー及びスノーボード用制御翼を提供することを目的とする。
【課題を解決するための手段】
【０００７】
本考案のスキー及びスノーボード用制御翼は、ブレードと、ブレードに設けられたグリップ部及びアーム支持ベルトとを有し、腕にアーム支持ベルトを装着し、使用者がグリップ部を握り、ブレードにより生じる風力により、スキー及びスノーボードの回転やジャンプを補助するようにしたことを特徴とする。
【０００８】
好ましくは、アーム支持ベルトは腕に着脱可能に構成され、その長さは腕の長さに合わせて調整可能とされている。
【０００９】
好ましくは、グリップ部及びアーム支持ベルトは、腕の肘から手首までの部分を固定できる位置に配設される。
【考案の効果】
【００１０】
本考案によれば、ブレードと、そのブレードに設けられたグリップ部及びアーム支持ベルトとを有し、腕にアーム支持ベルトを装着し、グリップ部を握り、ブレードにより生じる風力により、スキー及びスノーボードの回転やジャンプを補助するようにしているので、スキーやスノーボードで、風力を利用して、安定したカーブやジャンプを行える。
【００１１】
また、本考案によれば、アーム支持ベルトは腕に着脱可能に構成され、その長さは腕の長さに合わせて調整可能とされているので、使用者の腕に確実に装着できると共に着脱が容易である。
【００１２】
また、本考案によれば、グリップ部とアーム支持ベルトとの間の距離は、肘から手首までの距離に対応している。このため、肘を中心にして手首を上げ下げしたり、手首を左右に回転させたりすることで、ブレードのピッチ角とヨー角を調整することができ、これにより、風力の強さや方向を自在にコントロールできる。
【考案を実施するための最良の形態】
【００１３】
以下、本考案の実施形態について図面を参照しながら説明する。図１（Ａ）及び図１（Ｂ）は、本考案が適用されたスキー及びスノーボード用制御翼１を示す平面図及び側面図である。図１（Ａ）及び図１（Ｂ）に示すように、本考案が適用されたスキー及びスノーボード用制御翼１は、ブレード２と、ブレード２に設けられたグリップ部３及びアーム支持ベルト４とからなる。
【００１４】
ブレード２は、例えば楕円形であり、発泡スチロール等の軽量の部材から形成されている。このブレード２は、浮力を付けるために、図１（Ｂ）に示すように、僅かに曲面を有する形状に加工されている。
【００１５】
グリップ部３は、使用者が手で握ってスキー及びスノーボード用制御翼１を保持するものである。アーム支持ベルト４は、使用者の腕に装着して、スキー及びスノーボード用制御翼１を保持するもので、使用者の腕に確実に装着できると共に着脱が容易となるように、その長さが調整可能とされている。グリップ部３とアーム支持ベルト４との間の距離は、肘から手首までの距離に対応している。
【００１６】
図２（Ａ）及び図２（Ｂ）は、本考案が適用されたスキー及びスノーボード用制御翼１を使用して、スキーを行うときの状態を示す斜視図及び平面図である。スキー及びスノーボード用制御翼１を使用してスキーを行う場合には、図２（Ａ）及び図２（Ｂ）に示すように、使用者１０は、足１１にスキー板１２を付け、腕１３にスキー及びスノーボード用制御翼１を付ける。腕１３に制御装置１を付ける際には、腕１３にアーム支持ベルト４を装着し、グリップ部３を握って、スキー及びスノーボード用制御翼１を腕に固定する。
【００１７】
このように、本考案が適用されたスキー及びスノーボード用制御翼１では、腕１３にアーム支持ベルト４を装着し、グリップ部３を握って腕に固定しているので、肘と手首との間の部分に沿って、スキー及びスノーボード用制御翼１が固定される。このため、使用者１０は、肘と手首との間を地面に対して平行にすれば、ブレード２も地面に対して平行になり、肘を中心にして手首を上げ下げすることでブレード２のピッチ角を調整し、手首を左右に回転させることで、ブレード２のヨー角を調整することができる。
【００１８】
使用者１０は、このように、足１１にスキー板１２を付け、腕１３にスキー及びスノーボード用制御翼１を腕に付けて滑走する。足１１にスキー板１２を付け、腕１３にスキー及びスノーボード用制御翼１を腕に付けて滑走すると、ブレード２に風が当たり、風力による浮力や押圧力が発生する。上述のように、使用者１０は、肘を中心にして手首を上げ下げしたり、手首を左右に回転させることで、ブレード２のピッチ角とヨー角を調整することができ、これにより、風力の強さや方向をコントロールできる。このため、使用者１０は、この風力による浮力や押圧力を利用して、高速でもカーブをしたり、ジャンプをしたりすることができる。
【００１９】
なお、この例では、足１１にスキー板１２を付け、腕１３にスキー及びスノーボード用制御翼１を腕に付けて滑走する場合について説明したが、スノーボードの場合も、同様である。
【００２０】
以上説明したように、本考案の実施形態では、ブレード２を有するスキー及びスノーボード用制御翼１を装着することにより、ブレード２の方向により風力の強さや方向をコントロールしながら、スキーやスノーボードで、カーブやジャンプの補助をすることができる。
【００２１】
本考案は、上述した実施形態に限定されるものではなく、本考案の要旨を逸脱しない範囲内で様々な変形や応用が可能である。例えば、上述の例では、ブレード２は楕円形としているが、ブレード２の形状は、これに限るものではない。ブレード２の形状は、風力が利用できるような形状であれば、四角形、三角形、円形、菱形等どのような形状としても良い。
【産業上の利用可能性】
【００２２】
本考案は、スキーやスノーボードにおいて、カーブやジャンプの補助を行うのに用いることができる。
【図面の簡単な説明】
【００２３】
【図１】本考案の一実施形態の平面図及び側面図である。
【図２】本考案の一実施形態でスキーのカーブやジャンプを行うときの説明に用いる斜視図及び平面図である。
【符号の説明】
【００２４】
１  スキー及びスノーボード用制御翼
２  ブレード
３  グリップ部
４  アーム支持ベルト
１２ スキー板
【図１】
0003113688.tif 000003
【図２】
0003113688.tif 000004